(57)【要約】【課題】同軸ケーブルを敷設する必要が無く、かつ、広帯域の放送信号を伝送し得るミリ波による放送信号伝送システムを提供する。【解決手段】ＢＳ／ＣＳアンテナ１０は、ＪＳＡＴ３号衛星１、ＪＳＡＴ４号衛星２、ＢＳ衛星３、１１０°ＣＳ衛星４からの電波を受信してコンバータによりＩＦ信号に変換し、ミリ波送信機２０に出力する。ミリ波送信機２０は、上記各衛星に対するＩＦ信号を複数の帯域に分割してミリ波帯に変換すると共にローカル信号を付加し、偏波面を変えて送信する。システムの各加入者側に設けられるミリ波受信機３０は、ミリ波送信機２０からの信号を受信し、受信信号中のローカル信号を使用してミリ波を元のＩＦ信号に変換し、ＣＳチューナ３３に出力する。このＣＳチューナ３３は、ミリ波受信機３０から出力されるＩＦ信号の中から所望チャンネルのテレビ信号を選択し、テレビ受信機３６に出力する。【選択図】図１
2008193741.tif 000002
【特許請求の範囲】
【請求項１】
複数の衛星放送を受信してテレビ共同受信システムの加入者側に伝送する放送信号伝送システムにおいて、
複数の衛星放送を受信する衛星受信用アンテナと、前記各アンテナにより受信した各衛星放送の偏波の異なる受信信号をチャンネルが重ならないように周波数配列された夫々の中間周波信号に変換する各衛星放送受信に対応する複数のコンバータと、前記夫々の中間周波信号を共通のローカル信号で夫々ミリ波帯にアップコンバートする複数の放送信号伝送用のミリ波送信機と、前記複数の放送信号伝送用のミリ波送信機の少なくとも１つは、前記共通のローカル信号を前記アップコンバートされた中間周波信号と共にミリ波信号として送信し、前記ミリ波信号に含まれるローカル信号により、ミリ波信号を元の中間信周波信号にダウンコンバートする加入者側のミリ波受信機とを具備することを特徴とするミリ波による放送信号伝送システム。
【請求項２】
複数の衛星放送を受信してテレビ共同受信システムの加入者側に伝送する放送信号伝送システムにおいて、
複数の衛星放送を受信する衛星受信用アンテナと、前記各アンテナにより受信した各衛星放送の偏波の異なる受信信号をチャンネルが重ならないように周波数配列された夫々の中間周波信号に変換する各衛星放送受信に対応する複数のコンバータと、前記夫々の中間周波信号を共通のローカル信号で夫々ミリ波帯にアップコンバートする複数の放送信号伝送用のミリ波送信機と、前記共通のローカル信号をミリ波信号として送信するローカル信号伝送用のミリ波送信機と、前記ローカル信号伝送用のミリ波送信機から送信されたローカル信号により、ミリ波信号を元の中間信周波信号にダウンコンバートする加入者側のミリ波受信機とを具備することを特徴とするミリ波による放送信号伝送システム。
【請求項３】
複数の衛星放送を受信してテレビ共同受信システムの加入者側に伝送する放送信号伝送システムにおいて、
複数の衛星放送を受信する衛星受信用アンテナと、前記各アンテナにより受信した各衛星放送の偏波の異なる受信信号をチャンネルが重ならないように周波数配列された夫々の中間周波信号に変換する各衛星放送受信に対応する複数のコンバータと、前記夫々の中間周波信号を共通のローカル信号で夫々ミリ波帯にアップコンバートしミリ波信号として右旋もしくは左旋偏波で送信する複数の放送信号伝送用のミリ波送信機と、前記共通のローカル信号をミリ波信号として一の送信機は右旋偏波、他の一の送信機は左旋偏波で送信するローカル信号伝送用のミリ波送信機と、前記ローカル信号伝送用のミリ波送信機から送信されたローカル信号により、ミリ波信号を元の中間信周波信号にダウンコンバートする加入者側のミリ波受信機とを具備することを特徴とするミリ波による放送信号伝送システム。
【発明の詳細な説明】
【技術分野】
【０００１】
本発明は、例えばＢＳ（Broadcasting Satellite）放送、ＣＳ（Communication Satellite）放送等による放送信号を受信し、ミリ波に変換して伝送するミリ波による放送信号伝送システムに関する。
【背景技術】
【０００２】
従来、ＢＳ放送やＣＳ放送を含むテレビ共同受信システムは、ＣＳ放送をブロックコンバータやダウンコンバータの局部発振周波数の設定により、ＢＳ放送と重ならない中間周波数に変換し、１本の同軸ケーブルでＢＳ放送とＣＳ放送及び地上放送を伝送している（例えば、特許文献１参照。）。
【特許文献１】特開２００２−８４２０４号公報
【発明の開示】
【発明が解決しようとする課題】
【０００３】
しかし、近年、ＣＳ放送では、１１０度、１２４度、１２８度衛星等の複数の衛星放送があり、ＢＳ放送及びＣＳ放送の全てを伝送する場合、７．２ＧＨｚの広帯域が必要である。このため従来のテレビ共同受信システムでは、ＢＳ放送及びＣＳ放送の全てを伝送する場合には、１本の同軸ケーブルでは伝送することができず、複数本の同軸ケーブルが必要となり、システム構成が複雑になると共にその設置も面倒である。
【０００４】
本発明は上記の課題を解決するためになされたもので、同軸ケーブルを敷設する必要が無く、かつ、広帯域の放送信号を伝送し得るミリ波による放送信号伝送システムを提供することを目的とする。
【課題を解決するための手段】
【０００５】
本発明は、複数の衛星放送を受信してテレビ共同受信システムの加入者側に伝送する放送信号伝送システムにおいて、複数の衛星放送を受信する衛星受信用アンテナと、前記各アンテナにより受信した各衛星放送の偏波の異なる受信信号をチャンネルが重ならないように周波数配列された夫々の中間周波信号に変換する各衛星放送受信に対応する複数のコンバータと、前記夫々の中間周波信号を共通のローカル信号で夫々ミリ波帯にアップコンバートする複数の放送信号伝送用のミリ波送信機と、前記複数の放送信号伝送用のミリ波送信機の少なくとも１つは、前記共通のローカル信号を前記アップコンバートされた中間周波信号と共にミリ波信号として送信し、前記ミリ波信号に含まれるローカル信号により、ミリ波信号を元の中間信周波信号にダウンコンバートする加入者側のミリ波受信機とを具備することを特徴とする。
【発明の効果】
【０００６】
本発明によれば、各衛星から送られてくるテレビ放送信号をテレビ共同受信設備側で受信し、複数のミリ波送信機で帯域分割してミリ波に変換し、各システム加入者のミリ波受信機に送信することにより、同軸ケーブルを敷設する必要が無く、かつ、広帯域の放送信号を伝送することができる。
【０００７】
また、上記ミリ波送信機は、ミリ波を送信する際、ローカル信号を付加しているので、ミリ波受信機側でローカル信号を発生することなく、ミリ波を元のＩＦ信号に変換することができる。従って、ミリ波受信機の構成を簡易化でき、かつ、安定した受信動作が可能になる。
【発明を実施するための最良の形態】
【０００８】
以下、図面を参照して本発明の実施形態を説明する。
【０００９】
（基本構成）
図１は、本発明に係るミリ波による放送信号伝送システムの基本構成図である。１はＪＳＡＴ３号衛星（ＣＳ）、２はＪＳＡＴ４号衛星（ＣＳ）、３はＢＳ衛星、４は１１０°ＣＳ衛星である。上記ＪＳＡＴ３号衛星１及びＪＳＡＴ４号衛星２は、それぞれ垂直偏波及び水平偏波を使用してテレビ放送を行なっている。また、ＢＳ衛星３は右旋偏波を使用し、１１０°ＣＳ衛星４は右旋偏波及び左旋偏波を使用してテレビ放送を行なっている。
【００１０】
ＪＳＡＴ３号衛星１は、図２（ａ）に示すように１２．２６８ＧＨｚ〜１２．７３１５ＧＨｚの周波数帯域による垂直偏波、１２．２７０ＧＨｚ〜１２．７４６５ＧＨｚの周波数帯域による水平偏波を使用し、複数チャンネルのテレビ信号を送信している。
【００１１】
ＪＳＡＴ４号衛星２は、図２（ｂ）に示すように１２．２５４５ＧＨｚ〜１２．７３１５ＧＨｚの周波数帯域による垂直偏波、及び１２．２６９５ＧＨｚ〜１２．７４６５ＧＨｚの周波数帯域による水平偏波を使用し、複数チャンネルのテレビ信号を送信している。
【００１２】
ＢＳ衛星３は、図２（ｃ）に示すように１１．７１８３ＧＨｚ〜１２．１６９ＧＨｚの周波数帯域による右旋偏波を使用し、複数チャンネルのテレビ信号を送信している。
【００１３】
１１０°ＣＳ衛星４は、図２（ｃ）に示すように１２．２７１ＧＨｚ〜１２．７５１ＧＨｚの周波数帯域による垂直偏波、及び１２．２７５１ＧＨｚ〜１２．７５５１ＧＨｚの周波数帯域による水平偏波を使用し、複数チャンネルのテレビ信号を送信している。
【００１４】
一方、マンション等の共同住宅等に設けられるテレビ共同受信設備側には、図１に示すように各衛星１〜４からの電波を受信するＢＳ／ＣＳアンテナ１０が設置される。このＢＳ／ＣＳアンテナ１０は、各衛星１〜４からの電波を受信してコンバータにより中間周波信号（以下、ＩＦ信号という）に変換し、ミリ波送信機２０に出力する。このミリ波送信機２０は、上記ＢＳ／ＣＳアンテナ１０からコンバータを介して入力されたＩＦ信号を例えば５９ＧＨｚ〜６６ＧＨｚのミリ波に変換し、局部発振周波数のキャリア信号（以下、ローカル信号という）を付加して送信する。
【００１５】
システムの各加入者側には、ミリ波受信機３０が設けられる。
【００１６】
上記ミリ波受信機３０は、ミリ波送信機２０から送られてくる信号を受信し、受信信号中に含まれるローカル信号を使用してミリ波を元のＩＦ信号に変換し、ＣＳチューナ３３に出力する。このＣＳチューナ３３は、ミリ波受信機３０から出力されるＩＦ信号の中から所望チャンネルのテレビ信号を選択し、テレビ受信機３６に出力する。
【００１７】
上記ミリ波送信機２０で衛星放送をミリ波に変換して送信する場合、ＢＳ放送では３００ＭＨｚの帯域、ＣＳ放送では、１１０度、１２４度、１２８度の衛星放送を全て伝送すると７．２ＧＨｚの広帯域が必要である。また、電波法上で許容されているミリ波の全帯域は図３に示すように５９ＧＨｚ〜６６ＧＨｚ、占有帯域は最大で２．５ＧＨｚである。このため１つのミリ波送信機２０では、全帯域を送信できないので、複数のミリ波送信機を用いて図３に示すように帯域を分割し、偏波面を変えて伝送する。例えば右旋偏波によりＡ、Ｂ、Ｃのチャンネル（ｃｈ）、左旋偏波によりＤ、Ｅ、Ｆのチャンネル（ｃｈ）を伝送する。上記Ａ、Ｂ、Ｃ、Ｄ、Ｅ、Ｆの各チャンネルは、衛星から送信される各偏波のチャンネル群から成っている。
【００１８】
また、位相変調を基本とした変調方式、例えばＱＰＳＫ、８ＰＳＫ、ｎＱＣＡＭなどでは位相雑音に対して影響を受け易いので、ミリ波送信機２０から出力される各チャンネルの信号に図３に示したようにローカル信号ＬＣを付加する。そして、ミリ波受信機３０側で受信信号の中のローカル信号ＬＣを使用してミリ波を元のＩＦ信号に変換する。
【００１９】
以下、ミリ波による放送信号伝送システムの具体的な構成について説明する。
【００２０】
（第１実施形態）
図４は、本発明の第１実施形態に係るテレビ共同受信システムにおけるＢＳ／ＣＳ放送のミリ波伝送の構成図である。
【００２１】
マンション等の共同住宅等に設けられるテレビ共同受信設備には、ＪＳＡＴ３号衛星１からの電波を受信する第１のＣＳアンテナ１１、ＪＳＡＴ４号衛星２からの電波を受信する第２のＣＳアンテナ１２、ＢＳ衛星３及び１１０°ＣＳ衛星４からの電波を受信するＢＳ／ＣＳアンテナ１３が設置される。上記ＢＳ衛星３及び１１０°ＣＳ衛星４は、ほぼ同じ角度方向に位置しているので、１つのアンテナでテレビ放送を受信することができる。
【００２２】
第１のＣＳアンテナ１１は、図５（ａ）に示すようにＪＳＡＴ３号衛星１から送られてくる垂直偏波及び水平偏波の信号を受信し、コンバータ１５により異なる周波数のＣＳ-ＩＦ信号、例えば１０５０〜１５３２ＭＨｚと１５９２〜２０３９ＭＨｚのＣＳ-ＩＦ信号に変換し、第１のミリ波送信機２１に出力する。上記図５は、各衛星放送に対する伝送周波数配列図を示したものである。上記第１のミリ波送信機２１は、コンバータ１５により変換されたＣＳ-ＩＦ信号を例えば５９ＧＨｚのローカル信号を使用して６０．０５〜６０．５３２ＧＨｚ（約６０．１〜６０．５ＧＨｚ）、６０．５９２〜６１．０３９ＧＨｚ（約６０．６〜６１ＧＨｚ）のミリ波に変換し、右旋偏波のチャンネルＡとしてシステムの加入者側に送信する。この場合、第１のミリ波送信機２１は、上記チャンネルＡの信号に対して５９ＧＨｚのローカル信号を付加して送信する。
【００２３】
第２のＣＳアンテナ１２は、図５（ｂ）に示すようにＪＳＡＴ４号衛星２から送られてくる垂直偏波及び水平偏波の信号を受信し、コンバータ１６により異なる周波数のＣＳ-ＩＦ信号、例えば１０５０〜１５３２ＭＨｚと１５９２〜２０３９ＭＨｚのＣＳ-ＩＦ信号に変換し、第２のミリ波送信機２２に出力する。上記第２のミリ波送信機２２は、コンバータ１６により変換されたＣＳ-ＩＦ信号を例えば第１のミリ波送信機２１と同じ５９ＧＨｚのローカル信号を用いて６０．０５〜６０．５３２ＧＨｚ（約６０．１〜６０．５ＧＨｚ）、６０．５９２〜６１．０３９ＧＨｚ（約６０．６〜６１ＧＨｚ）のミリ波に変換すると共に、５９ＧＨｚのローカル信号を付加し、左旋偏波のチャンネルＤとしてシステムの加入者側に送信する。
【００２４】
ＢＳ／ＣＳアンテナ１３は、図５（ｃ）に示すようにＢＳ衛星３及び１１０°ＣＳ衛星４からの放送信号を受信し、右旋用コンバータ１７によりＢＳ衛星３及び１１０°ＣＳ衛星４による右旋偏波の信号を１つのバンドとして、異なる周波数のＢＳ／ＣＳ-ＩＦ信号例えば１０３２〜１４８９ＭＨｚと１５９５〜２０７１ＭＨｚのＢＳ／ＣＳ-ＩＦ信号に変換し、第３のミリ波送信機２３に出力する。上記第３のミリ波送信機２３は、右旋用コンバータ１７により変換されたＢＳ／ＣＳ-ＩＦ信号を例えば６２ＧＨｚのローカル信号を使用して６３．０３２〜６３．４８９ＧＨｚ（約６３〜６３．５ＧＨｚ）、６３．５９５〜６４．０７１ＧＨｚ（約６３．６〜６４．１ＧＨｚ）のミリ波に変換すると共に、６２ＧＨｚのローカル信号を付加し、右旋偏波のチャンネルＢとしてシステムの加入者側に送信する。
【００２５】
また、ＢＳ／ＣＳアンテナ１３により受信した１１０°ＣＳ衛星４からの左旋偏波信号は、左旋用コンバータ１８により図５（ｄ）に示すように例えば１５９５〜２０７１ＭＨｚのＣＳ-ＩＦに変換し、第４のミリ波送信機２４に出力する。この第４のミリ波送信機２４は、右旋用コンバータ１７により変換されたＣＳ-ＩＦ信号を例えば６２ＧＨｚのローカル信号を使用して６３．５９５〜６４．０７１ＧＨｚ（約６３．６〜６４．１ＧＨｚ）のミリ波に変換すると共に、６２ＧＨｚのローカル信号を付加し、左旋偏波のチャンネルＥとしてシステムの加入者側に送信する。
【００２６】
上記第１〜第４のミリ波送信機２１〜２４の送信用アンテナは、共同住宅の屋上等において側方に突出するように設け、下方に向けて電波を送信するように設定する。
【００２７】
一方、システムの各加入者側には、第１のミリ波受信機３１、第２のミリ波受信機３２が設けられる。このミリ波受信機３１、３２の受信用アンテナは、システム加入者が居住する共同住宅のベランダ等に設け、上記ミリ波送信機２１〜２４の送信用アンテナからの送信電波を受信できるようにする。
【００２８】
上記第１のミリ波受信機３１は、上記第１のミリ波送信機２１から送られてくるチャンネルＡの右旋偏波信号、及び第２のミリ波送信機２２から送られてくるチャンネルＤの左旋偏波信号を受信し、各チャンネルに含まれるローカル信号を使用して元のＣＳ-ＩＦ信号に変換し、ＣＳチューナ３４に出力する。このＣＳチューナ３４は、第１のミリ波受信機３１で変換されたＩＦ信号の中から指定されたチャンネルの信号を受信し、所定の中間周波信号に変換してテレビ受信機３６へ出力する。上記ＣＳチューナ３４は、選択されたチャンネルに応じて右旋偏波と左旋偏波とを切替える偏波切替信号を第１のミリ波受信機３１に出力する。この第１のミリ波受信機３１は、ＣＳチューナ３４からの偏波切替信号に従ってチャンネルＡの右旋偏波信号とチャンネルＤの左旋偏波信号とを切替えて受信する。
【００２９】
第２のミリ波受信機３２は、上記第３のミリ波送信機２３から送られてくるチャンネルＢの右旋偏波信号、及び第４のミリ波送信機２４から送られてくるチャンネルＥの左旋偏波信号を受信し、各チャンネルに含まれるローカル信号を使用して元のＣＳ-ＩＦ信号に変換し、ＢＳ／ＣＳチューナ３５に出力する。このＢＳ／ＣＳチューナ３５は、第２のミリ波受信機３２で受信及び周波数変換されたＩＦ信号の中から指定されたチャンネルの信号を受信し、所定の中間周波信号に変換してテレビ受信機３６へ出力する。また、上記ＢＳ／ＣＳチューナ３５は、選択されたチャンネルに応じて右旋偏波と左旋偏波とを切替える偏波切替信号を第２のミリ波受信機３２に出力する。この第２のミリ波受信機３２は、ＢＳ／ＣＳチューナ３５からの偏波切替信号に従ってチャンネルＢの右旋偏波信号とチャンネルＥの左旋偏波信号とを切替えて受信する。
【００３０】
次に、上記第１〜第４のミリ波送信機２１〜２４及び第１、第２のミリ波受信機３１、３２の詳細な構成について図６及び図７を参照して説明する。  
図６（ａ）は、第１のミリ波送信機２１の詳細な構成を示したものである。第１のミリ波送信機２１は、ミキサー４１ａ、５９ＧＨｚのローカル信号を発生するローカル信号発振部４２ａ、ＢＰＦ回路（バンドパスフィルタ回路）４３ａ、右旋用アンテナ４４ａからなっている。
【００３１】
上記ミキサー４１ａは、コンバータ１５から出力されるＪＳＡＴ３号の１０５０〜１５３２ＭＨｚ、１５９２〜２０３９ＭＨｚのＣＳ-ＩＦ信号と、ローカル信号発振部４２ａで発生した５９ＧＨｚのローカル信号とを混合し、６０．０５〜６０．５３２ＧＨｚ、６０．５９２〜６１．０３９ＧＨｚのミリ波に変換してＢＰＦ回路４３ａに出力する。また、ローカル信号発振部４２ａで発生した５９ＧＨｚのローカル信号をＢＰＦ回路４３ａに入力する。ＢＰＦ回路４３ａは、ミキサー４１ａから出力されるＣＳ-ＩＦ信号及びローカル信号発振部４２ａからのローカル信号を取り込み、右旋用アンテナ４４ａから右旋偏波のチャンネルＡとしてシステムの加入者側に送信する。
【００３２】
第２のミリ波送信機２２は、図６（ｂ）に示すようにミキサー４１ｂ、５９ＧＨｚのローカル信号を発生するローカル信号発振部４２ｂ、ＢＰＦ回路４３ｂ、左旋用アンテナ４４ｂからなっている。
【００３３】
上記ミキサー４１ｂは、コンバータ１６から出力されるＪＳＡＴ４号の１０５０〜１５３２ＭＨｚ、１５９２〜２０３９ＭＨｚのＣＳ-ＩＦ信号と、ローカル信号発振部４２ｂで発生した５９ＧＨｚのローカル信号とを混合し、６０．０５〜６０．５３２ＧＨｚ、６０．５９２〜６１．０３９ＧＨｚのミリ波に変換してＢＰＦ回路４３ｂに出力する。ＢＰＦ回路４３ｂは、ミキサー４１ｂから出力されるＣＳ-ＩＦ信号及びローカル信号発振部４２ｂで発生したローカル信号を取り込み、左旋用アンテナ４４ｂから左旋偏波のチャンネルＤとしてシステムの加入者側に送信する。
【００３４】
第３のミリ波送信機２３は、図６（ｃ）に示すようにミキサー４１ｃ、６２ＧＨｚのローカル信号を発生するローカル信号発振部４２ｃ、ＢＰＦ回路４３ｃ、右旋用アンテナ４４ｃからなっている。
【００３５】
上記ミキサー４１ｃは、右旋用コンバータ１７から出力されるＢＳ衛星３及び１１０°ＣＳ衛星４の１０３２〜１４８９ＭＨｚ、１５９５〜２０７１ＭＨｚのＢＳ／ＣＳ-ＩＦ信号と、ローカル信号発振部４２ｃで発生した６２ＧＨｚのローカル信号とを混合し、６３．０３２〜６３．４８９ＧＨｚ、６３．５９５〜６４．０７１ＧＨｚのミリ波に変換してＢＰＦ回路４３ｃに出力する。ＢＰＦ回路４３ｃは、ミキサー４１ｃから出力されるＢＳ／ＣＳ-ＩＦ信号及びローカル信号発振部４２ｃで発生したローカル信号を取り込み、右旋用アンテナ４４ｃから右旋偏波のチャンネルＢとしてシステムの加入者側に送信する。
【００３６】
第４のミリ波送信機２４は、図６（ｄ）に示すようにミキサー４１ｄ、６２ＧＨｚのローカル信号を発生するローカル信号発振部４２ｄ、ＢＰＦ回路４３ｄ、左旋用アンテナ４４ｄからなっている。
【００３７】
上記ミキサー４１ｄは、左旋用コンバータ１８から出力される１１０°ＣＳ衛星４の１５９５〜２０７１ＭＨｚのＣＳ-ＩＦ信号と、ローカル信号発振部４２ｄで発生した６２ＧＨｚのローカル信号とを混合し、６３．５９５〜６４．０７１ＧＨｚのミリ波に変換してＢＰＦ回路４３ｄに出力する。ＢＰＦ回路４３ｄは、ミキサー４１ｄから出力されるＣＳ-ＩＦ信号及びローカル信号発振部４２ｄで発生したローカル信号を取り込み、左旋用アンテナ４４ｄから左旋偏波のチャンネルＥとしてシステムの加入者側に送信する。
【００３８】
一方、各加入者毎に設けられる第１のミリ波受信機３１は、図７（ａ）に示すようにミリ波受信用のアンテナ５１ａ、バンドパスフィルタ（ＢＰＦ）５２ａ、ミキサー５３ａ、増幅器５４ａからなっている。アンテナ５１ａは、第１のミリ波送信機２１から送信されるチャンネルＡの右旋偏波、及び第２のミリ波送信機２２から送信されるチャンネルＤの左旋偏波の信号をＣＳチューナ３４からの偏波切替制御信号により切替えて受信し、バンドパスフィルタ５２ａに入力する。このバンドパスフィルタ５２ａは、アンテナ５１ａにより受信したチャンネルＡ、Ｄの周波数帯域及び５９ＭＨｚのローカル信号を通過させ、ミキサー５３ａに出力する。ミキサー５３ａは、５９ＭＨｚのローカル信号とチャンネルＡまたはＤの信号とを混合して元のＣＳ-ＩＦ信号に変換し、増幅器５４ａを介してＣＳチューナ３４へ出力する。
【００３９】
また、第２のミリ波受信機３２は、図７（ｂ）に示すようにミリ波受信用のアンテナ５１ｂ、バンドパスフィルタ（ＢＰＦ）５２ｂ、ミキサー５３ｂ、増幅器５４ｂからなっている。アンテナ５１ｂは、第３のミリ波送信機２３から送信されるチャンネルＢの右旋偏波、及び第４のミリ波送信機２４から送信されるチャンネルＥの左旋偏波の信号をＢＳ／ＣＳチューナ３５からの偏波切替制御信号により切替えて受信し、バンドパスフィルタ５２ｂに入力する。このバンドパスフィルタ５２ｂは、アンテナ５１ｂにより受信したチャンネルＢ、Ｅの周波数帯域及び６２ＭＨｚのローカル信号を通過させ、ミキサー５３ｂに出力する。ミキサー５３ｂは、６２ＭＨｚのローカル信号とチャンネルＢまたはＥの信号とを混合して元のＢＳ／ＣＳ-ＩＦ信号、ＣＳ-ＩＦ信号に変換し、増幅器５４ｂを介してＢＳ／ＣＳチューナ３５へ出力する。
【００４０】
上記のように各衛星から送られてくるテレビ放送信号をテレビ共同受信設備側で受信し、ミリ波送信機２１〜２４でミリ波に変換して各システム加入者のミリ波受信機３１、３２に送信することにより、同軸ケーブルを敷設する必要が無く、かつ、広帯域の放送信号を伝送することができる。
【００４１】
また、上記ミリ波送信機２１〜２４は、ミリ波を送信する際、各チャンネルＡ、Ｄ及びＢ、Ｅの信号と共にローカル信号を送信しているので、ミリ波受信機３１、３２でローカル信号を発生することなく、ミリ波を元のＩＦ信号に変換することができる。ミリ波受信機３１、３２側でローカル信号を発生させた場合には、ローカル信号の周波数が不安定になり易く、受信信号の品質が低下する原因となる。また、ミリ波受信機３１、３２側でローカル信号を発生させた場合、ローカル信号の周波数を安定化するためには、回路構成が非常に複雑になる。しかし、上記実施形態で示したようにミリ波送信機２１〜２４が各チャンネルの信号と共にローカル信号を送信することにより、ミリ波受信機３１、３２の構成を簡易化でき、かつ、安定した受信が可能となる。
【００４２】
（第２実施形態）
次に本発明の第２実施形態に係るミリ波による放送信号伝送システムについて説明する。  
この第２実施形態における全体の構成は、第１実施形態に示した図４と同じ構成であるので詳細な説明は省略する。この第２実施形態では、第１〜第４のミリ波送信機２１〜２４におけるローカル信号発振部４２ａ〜４２ｄの発振周波数を図８（ａ）〜（ｄ）に示すように設定している。例えばローカル信号発振部４２ａの発振周波数を５９ＧＨｚ、ローカル信号発振部４２ｂの発振周波数を６０．５ＧＨｚ、ローカル信号発振部４２ｃの発振周波数を６２ＧＨｚ、ローカル信号発振部４２ｄの発振周波数を６３．５ＧＨｚに設定する。すなわち、上記ローカル信号発振部４２ａ〜４２ｄの発振周波数は、図９（ａ）〜（ｄ）に示すようにＩＦ信号をミリ波に変換したときの周波数配列のガードバンドの間あるいはその近傍に設定する。図９は、各衛星放送に対する伝送周波数配列図を示したものである。
【００４３】
第１のミリ波送信機２１は、コンバータ１５により変換されたＪＳＡＴ３号衛星１のＣＳ-ＩＦ信号を５９ＧＨｚのローカル信号により、図９（ａ）に示すように６０．０５〜６０．５３２ＧＨｚ、６０．５９２〜６１．０３９ＧＨｚのミリ波に変換すると共に、５９ＧＨｚのローカル信号を付加し、右旋偏波のチャンネルＡとしてシステムの加入者側に送信する。この場合、チャンネルＡのガードバンドは、６０．５３２ＧＨｚ〜６０．５９２ＧＨｚとなるので、第２のミリ波送信機２２のローカル信号の周波数を例えば６０．５５ＧＨｚに設定する。
【００４４】
第２のミリ波送信機２２は、コンバータ１６により変換されたＪＳＡＴ４号衛星２のＣＳ-ＩＦ信号を６０．５５ＧＨｚのローカル信号により、図９（ｂ）に示すように６１．６〜６２．０８２ＧＨｚ、６２．１４２〜６２．５８９ＧＨｚのミリ波に変換すると共に、６０．５５ＧＨｚのローカル信号を付加し、左旋偏波のチャンネルＤとしてシステムの加入者側に送信する。この場合、チャンネルＤのガードバンドは、６２．０８２ＧＨｚ〜６２．１４２ＧＨｚとなるので、第３のミリ波送信機２３のローカル信号の周波数を例えば６２ＧＨｚに設定する。
【００４５】
第３のミリ波送信機２３は、右旋用コンバータ１７により変換されたＢＳ衛星３及び１１０°ＣＳ衛星４による右旋偏波のＢＳ／ＣＳ-ＩＦ信号を６２ＧＨｚのローカル信号により、図９（ｃ）に示すように６３．０３２〜６３．４８９ＧＨｚ、６３．５９５〜６４．０７１ＧＨｚのミリ波に変換すると共に、６２ＧＨｚのローカル信号を付加し、右旋偏波のチャンネルＢとしてシステムの加入者側に送信する。この場合、チャンネルＢのガードバンドは、６３．４８９ＧＨｚ〜６３．５９５ＧＨｚとなるので、第４のミリ波送信機２４のローカル信号の周波数を例えば６３．５ＧＨｚに設定する。
【００４６】
第４のミリ波送信機２４は、左旋用コンバータ１８により変換された１１０°ＣＳ衛星４による右旋偏波のＢＳ／ＣＳ-ＩＦ信号を６３．５ＧＨｚのローカル信号により、図９（ｄ）に示すように６５．０９５〜６５．５７１ＧＨｚのミリ波に変換すると共に、６３．５ＧＨｚのローカル信号を付加し、左旋偏波のチャンネルＥとしてシステムの加入者側に送信する。
【００４７】
システムの加入者側に設けられた第１のミリ波受信機３１及び第２のミリ波受信機３２は、上記第１実施形態の図７（ａ）、（ｂ）に示したものと同様の構成であるので詳細な説明は省略する。第１のミリ波受信機３１及び第２のミリ波受信機３２は、第１実施形態の場合と同様の受信動作を行ない、ミリ波送信機２１〜２４から送信されるローカル信号の周波数を使用してミリ波を元のＩＦ信号に変換する。
【００４８】
上記のようにミリ波送信機２１〜２４におけるローカル信号発振部４２ａ〜４２ｄの発振周波数を周波数配列のガードバンドの間あるいはその近傍に設定することにより、各偏波面で伝送されていないチャンネルに各信号を伝送できるので、混信を防止することができる。
【００４９】
（第３実施形態）
次に本発明の第３実施形態に係るミリ波による放送信号伝送システムについて説明する。上記第１及び第２実施形態では、システムの加入者側に第１のミリ波受信機３１及び第２のミリ波受信機３２を設けた場合について示したが、この第３実施形態では、図１０に示すように第１〜第４のミリ波送信機２１〜２４からの送信信号を１つのミリ波受信機６０で受信するように構成している。
【００５０】
この場合、コンバータ１５、１６は、図１２（ａ）、（ｂ）に示すようにＪＳＡＴ３号衛星１及びＪＳＡＴ４号衛星２の放送波を第１実施形態と同じ周波数のＣＳ-ＩＦ信号に変換して出力するが、右旋用コンバータ１７及び左旋用コンバータ１８は、ＢＳ衛星３及び１１０°ＣＳ衛星４の放送波をコンバータ１５、１６より高い周波数のＩＦに変換する。例えば右旋用コンバータ１７は、ＢＳ衛星３及び１１０°ＣＳ衛星４の右旋偏波を図１２（ｃ）に示すように２５３２ＧＨｚ〜２９８９ＧＨｚ、３０９５ＧＨｚ〜３５７１ＧＨｚのＢＳ／ＣＳ-ＩＦ信号に変換して第３のミリ波送信機２３に出力する。また、左旋用コンバータ１８は、１１０°ＣＳ衛星４の左旋偏波を図１２（ｄ）に示すように３０９５ＧＨｚ〜３５７１ＧＨｚのＣＳ-ＩＦ信号に変換して第４のミリ波送信機２４に出力する。
【００５１】
上記第１〜第４のミリ波送信機２１〜２４は、ＪＳＡＴ３号衛星１に対する第１のミリ波送信機２１の送信出力に５９ＧＨｚのローカル信号を挿入し、他の第２〜第４のミリ波送信機２２〜２４の送信出力にはローカル信号を挿入しないように構成する。
【００５２】
図１１は、第１〜第４のミリ波送信機２１〜２４の構成を示したもので、第１のミリ波送信機２１のみローカル信号発振部４２ａを備え、他のミリ波送信機２２〜２４はローカル信号発振部を備えていない。
【００５３】
第１のミリ波送信機２１は、ローカル信号発振部４２ａで発生した５９ＧＨｚのローカル信号をミキサー４１ａに入力すると共に分配器４５ａで２分配し、その一方をＢＰＦ回路４３ａに入力する。ミキサー４１ａは、図１２（ａ）に示すようにコンバータ１５から送られてくるＪＳＡＴ３号衛星１に対するＣＳ-ＩＦ信号とローカル信号発振部４２ａで発生したローカル信号とを混合し、上記ＣＳ-ＩＦ信号をミリ波に変換してＢＰＦ回路４３ａに出力する。このＢＰＦ回路４３ａは、ミキサー４１ａで変換されたミリ波に分配器４５ａで分配されたローカル信号を付加する。このＢＰＦ回路４３ａで、ミリ波にローカル信号ＬＣが付加された信号が右旋用アンテナ４４ａからチャンネルＡの右旋偏波として送信される。
【００５４】
また、上記分配器４５ａで分配された他方のローカル信号は、第２のミリ波送信機２２に送られて分配器４５ｂで２分配され、その一方がミキサー４１ｂに入力され、他方が第３のミリ波送信機２３へ送られる。この第３のミリ波送信機２３に送られたローカル信号は、更に分配器４５ｃで２分配され、その一方がミキサー４１ｃに入力され、他方が第４のミリ波送信機２４へ送られてミキサー４１ｄに入力される。
【００５５】
第２のミリ波送信機２２は、コンバータ１６から送られてくるＪＳＡＴ４号衛星２に対するＣＳ-ＩＦ信号と第１のミリ波送信機２１からのローカル信号とを混合してミリ波に変換し、ＢＰＦ回路４３ｂに入力する。このＢＰＦ回路４３ｂは、ミキサー４１ｂで変換されたミリ波のみを選択し、左旋用アンテナ４４ｂへ出力する。従って、左旋用アンテナ４４ｂからは、図１２（ｂ）に示すようにＪＳＡＴ４号衛星２に対するミリ波の信号がチャンネルＤの左旋偏波として送信される。
【００５６】
上記第１のミリ波送信機２１及び第２のミリ波送信機２２から送信されるチャンネルＡ、Ｄの周波数帯は、第１実施形態の場合と同じである。
【００５７】
第３のミリ波送信機２３は、右旋用コンバータ１７から送られてくるＢＳ衛星３及び１１０°ＣＳ衛星４の右旋偏波に対するＢＳ／ＣＳ-ＩＦ信号と第１のミリ波送信機２１から送られてくる５９ＧＨｚのローカル信号とをミキサー４１ｃで混合し、図１２（ｃ）に示すように６１．５３２ＧＨｚ〜６１．９８９ＧＨｚ、６２．０９５ＧＨｚ〜６２．５７１ＧＨｚのミリ波に変換する。このミリ波の信号は、ＢＰＦ回路４３ｃを介して右旋用アンテナ４４ｃへ送られ、チャンネルＢの右旋偏波として送信される。
【００５８】
第４のミリ波送信機２４は、左旋用コンバータ１８から送られてくる１１０°ＣＳ衛星４の左旋偏波に対するＣＳ-ＩＦ信号と第１のミリ波送信機２１から送られてくるローカル信号とをミキサー４１ｄで混合し、図１２（ｄ）に示すように６２．０９５ＧＨｚ〜６２．５７１ＧＨｚのミリ波に変換する。このミリ波の信号は、ＢＰＦ回路４３ｄを介して左旋用アンテナ４４ｄへ送られ、チャンネルＥの左旋偏波として送信される。
【００５９】
上記のように第１のミリ波送信機２１の送信出力のみにローカル信号が付加され、第２〜第４のミリ波送信機２２〜２４の送信出力にはローカル信号は付加されない。
【００６０】
一方、ミリ波受信機６０は、図１０に示すように上記第１〜第４のミリ波送信機２１〜２４からの送信信号を受信し、分配器３７を介してＣＳチューナ３４及び周波数変換器３８に２分配する。
【００６１】
上記ミリ波受信機６０は、図１３に示すように右旋用アンテナ６１ａ及び左旋用アンテナ６１ｂを備えている。右旋用アンテナ６１ａは、第１のミリ波送信機２１及び第３のミリ波送信機２３から送信されるチャンネルＡ、Ｂの右旋偏波の信号を受信し、左旋用アンテナ６１ｂは、第２のミリ波送信機２２及び第４のミリ波送信機２４から送信されるチャンネルＤ、Ｅの左旋偏波の信号を受信する。
【００６２】
上記右旋用アンテナ６１ａで受信した右旋偏波の信号は、バンドパスフィルタ６２ａを介してミキサー６３ａに入力される。また、左旋用アンテナ６１ｂで受信した左旋偏波の信号は、バンドパスフィルタ６２ｂを介してミキサー６３ｂに入力される。
【００６３】
上記バンドパスフィルタ６２ａは、右旋用アンテナ６１ａで受信した信号の中からチャンネルＡに含まれる５９ＧＨｚのローカル信号を分離する。このバンドパスフィルタ６２ａで分離して取り出されたローカル信号は、増幅器６４で増幅された後、分配器６５で２分配され、ミキサー６３ａ、６３ｂに入力される。
【００６４】
ミキサー６３ａは、バンドパスフィルタ６２ａから出力されるチャンネルＡ、Ｂの右旋偏波の信号と５９ＧＨｚのローカル信号とを混合して元のＩＦ信号、すなわち、図１４（ａ）に示すようにＪＳＡＴ３号衛星１のＣＳ-ＩＦ信号、ＢＳ衛星３及び１１０°ＣＳ衛星４の右旋偏波のＢＳ／ＣＳ-ＩＦ信号に変換する。
【００６５】
また、ミキサー６３ｂは、バンドパスフィルタ６２ｂから出力されるチャンネルＤ、Ｅの左旋偏波の信号と５９ＧＨｚのローカル信号とを混合して元のＩＦ信号、すなわち、図１４（ｂ）に示すようにＪＳＡＴ４号衛星２及び１１０°ＣＳ衛星４の左旋偏波のＣＳ-ＩＦ信号に変換する。
【００６６】
そして、上記ミキサー６３ａ、６３ｂで変換された信号は、切替スイッチ６６で選択されて増幅器６７に入力される。上記切替スイッチ６６は、図１０に示すＣＳチューナ３４またはＢＳ／ＣＳチューナ３５から送られてくる偏波切替制御信号により動作し、ミキサー６３ａあるいはミキサー６３ｂの出力信号を選択する。増幅器６７は、上記切替スイッチ６６により選択されたミキサー６３ａあるいはミキサー６３ｂの出力信号を増幅し、図１０に示したように分配器３７を介してＣＳチューナ３４及び周波数変換器３８に出力する。
【００６７】
ＣＳチューナ３４は、ＪＳＡＴ３号衛星１及びＪＳＡＴ４号衛星２のテレビ放送信号の中から指定されたチャンネルを選択し、テレビ受信機３６に出力する。また、ＣＳチューナ３４は、チャンネルの切替え操作に応じて偏波切替制御信号をミリ波受信機６０に出力する。
【００６８】
周波数変換器３８は、ＢＳ衛星３及び１１０°ＣＳ衛星４に対するチャンネルＢの右旋偏波の信号及び１１０°ＣＳ衛星４に対するチャンネルＥの左旋偏波の信号をＢＳ／ＣＳチューナ３５にて受信できるＩＦ周波数に変換する。ＢＳ／ＣＳチューナ３５は、周波数変換器３８で変換されたＢＳ衛星３及び１１０°ＣＳ衛星４の放送信号の中から指定されたチャンネルを選択し、テレビ受信機３６に出力する。また、ＢＳ／ＣＳチューナ３５は、チャンネルの切替え操作に応じて偏波切替制御信号をミリ波受信機６０に出力する。
【００６９】
上記第３実施形態によれば、第１のミリ波送信機２１から出力する１つのローカル信号によって周波数の変換処理を行なうことができるので、スプリアス、相互変調等の妨害を低減することができる。また、ミリ波送信機は、ローカル信号の分だけ送信電力を増加できるので、長距離伝送が可能になる。更に、１台のミリ波受信機６０で全チャンネルを受信できるので、コストを低減することができる。
【００７０】
（第４実施形態）
次に、本発明の第４実施形態に係るミリ波による放送信号伝送システムについて説明する。この第４実施形態に係るシステム全体の構成は、第３実施形態の図１０に示した構成と同じであるので、詳細な説明は省略する。
【００７１】
上記第３実施形態は、第１のミリ波送信機２１から出力されるチャンネルＡの右旋偏波に対してのみローカル信号を付加しているが、この第４実施形態では、図１６に示すように第１のミリ波送信機２１から出力されるチャンネルＡの右旋偏波、及び第２のミリ波送信機２２から出力されるチャンネルＤの左旋偏波に対してローカル信号を付加するようにしたものである。
【００７２】
図１５は、第４実施形態における第１〜第４のミリ波送信機２１〜２４の構成図である。この第１〜第４のミリ波送信機２１〜２４は、第３実施形態の図１１に示したものとほぼ同様であるが、第２のミリ波送信機２２においても第１のミリ波送信機２１と同様に分配器４５ｂで分配した５９ＧＨｚのローカル信号をＢＰＦ回路４３ｂに入力し、左旋用アンテナ４４ｂからもローカル信号が送信されるようにしている。ミリ波送信機２１〜２４のその他の構成は、第３実施形態と同じであるので、詳細な説明は省略する。
【００７３】
また、ミリ波の受信側は、第３実施形態におけるミリ波受信機６０に代えて図１７に示すミリ波受信機７０が使用される。このミリ波受信機７０は、アンテナ７１、ミキサー７２、増幅器７３からなっている。
【００７４】
アンテナ７１は、図１０に示すＣＳチューナ３４またはＢＳ／ＣＳチューナ３５から送られてくる偏波切替制御信号によって偏波面を切替え、ミリ波送信機２１、２３から送信されるチャンネルＡ、Ｂの右旋偏波、あるいはミリ波送信機２２、２４から送信されるチャンネルＤ、Ｅの左旋偏波の信号を受信してミキサー７２に入力する。ミキサー７２は、チャンネルＡ、Ｂの右旋偏波に対しては第１のミリ波送信機２１から送られてくるローカル信号により元のＩＦ信号に変換し、チャンネルＤ、Ｅの左旋偏波の信号に対しては第２のミリ波送信機２２から送られてくるローカル信号により元のＩＦ信号に変換する。増幅器７３は、ミキサー７２で変換されたＩＦ信号を増幅し、図１０に示したように分配器３７を介してＣＳチューナ３４及び周波数変換器３８に出力する。以下、上記第３実施形態の場合と同様の処理が行なわれる。
【００７５】
上記第４実施形態に示したように、第１のミリ波送信機２１から送信されるチャンネルＡの右旋偏波の信号、及び第２のミリ波送信機２２から送信される左旋偏波の信号にローカル信号を付加することにより、ミリ波受信機７０でアンテナ７１の偏波面を切替えてもローカル信号を必ず受信でき、ＩＦ信号に変換することができる。従って、ミリ波受信機７０は、第１のミリ波送信機２１及び第２のミリ波送信機２２の両方の信号を常に受信する必要はなく、第３実施形態の場合に比較して回路構成を簡易化でき、コストを低減することができる。
【００７６】
（第５実施形態）
次に、本発明の第５実施形態に係るミリ波による放送信号伝送システムについて説明する。図１８は、第５実施形態に係るミリ波による放送信号伝送システムの全体構成を示したものである。この第５実施形態は、図１０に示した第３実施形態において、第１〜第４のミリ波送信機２１〜２４とは別個に、右旋偏波のローカル信号送信機２５を独立して設け、このローカル信号送信機２５から右旋偏波のローカル信号を送信するように構成している。この場合、ミリ波送信機２１〜２４からはローカル信号を送信しない。また、受信側にはミリ波受信機６０に代えてミリ波受信機６０Ａを設けている。
【００７７】
図１９は、上記第１〜第４のミリ波送信機２１〜２４及びローカル信号送信機２５の詳細を示す構成図である。
【００７８】
ローカル信号送信機２５は、ローカル信号発振部２５１、分配器２５２、バンドパスフィルタ２５３、右旋用アンテナ２５４からなっている。ローカル信号発振部２５１は、例えば５９ＧＨｚのローカル信号を発生し、分配器２５２により２分配する。この分配器２５２により２分配した一方の信号は、バンドパスフィルタ２５３を介して右旋用アンテナ２５４に送られ、この右旋用アンテナ２５４から右旋偏波のローカル信号としてミリ波受信機６０Ａへ送信される。
【００７９】
また、上記分配器２５２で２分配された他方の信号は、ローカル信号送信機２５へ送られ、分配器４５ａを介してミキサー４１ａに入力される。第１のミリ波送信機２１は、ローカル信号発振部を備えておらず、上記ローカル信号送信機２５のローカル信号発振部２５１から送られてくるローカル信号を使用してＪＳＡＴ３号衛星１に対するＣＳ-ＩＦ信号をミリ波に変換する。第１〜第４のミリ波送信機２１〜２４のその他の構成は、図１１に示した第３実施形態のものと同様の構成であるので、詳細な説明は省略する。
【００８０】
ミリ波受信機６０Ａは、図２０に示すようにミリ波送信機２１〜２４からの送信信号を受信するアンテナ６０１、及びローカル信号送信機２５から送信される右旋偏波のローカル信号を受信する右旋偏波用アンテナ６０２を備えている。
【００８１】
上記アンテナ６０１は、ＣＳチューナ３４またはＢＳ／ＣＳチューナ３５から送られてくる偏波切替制御信号により偏波面を切替え、ミリ波送信機２１、２３から送信されるチャンネルＡ、Ｂの右旋偏波、あるいはミリ波送信機２２、２４から送信されるチャンネルＤ、Ｅの左旋偏波の信号を受信してミキサー６０３に出力する。
【００８２】
また、右旋偏波用アンテナ６０２は、ローカル信号送信機２５から送信される右旋偏波のローカル信号を受信し、バンドパスフィルタ６０４を介してミキサー６０３に出力する。ミキサー６０３は、アンテナ６０１で受信したチャンネルＡ、Ｂの右旋偏波、あるいはチャンネルＤ、Ｅの左旋偏波の信号に対し、右旋偏波用アンテナ６０２で受信したローカル信号により、図１４に示したように元のＩＦ信号に変換して増幅器６０５に出力する。増幅器６０５は、ミキサー６０３で変換されたＩＦ信号を増幅し、図１８に示したように分配器３７を介してＣＳチューナ３４及び周波数変換器３８に出力する。以下、上記第３実施形態の場合と同様の処理が行なわれる。
【００８３】
上記第５実施形態によれば、第１〜第４のミリ波送信機２１〜２４は、ローカル信号を送信しないので、送信電力を許容最大限まで増加でき、長距離伝送が可能になる。また、１台のミリ波受信機６０Ａで全チャンネルを受信できるので、コストを低減することができる。
【００８４】
（第６実施形態）
次に、本発明の第６実施形態に係るミリ波による放送信号伝送システムについて説明する。図２１は、第６実施形態に係るミリ波による放送信号伝送システムの全体構成を示したものである。この第６実施形態は、第１〜第４のミリ波送信機２１〜２４とは別個に、右旋偏波のローカル信号送信機２５及び左旋偏波のローカル信号送信機２６を独立して設け、右旋偏波のローカル信号及び左旋偏波のローカル信号を送信するように構成している。すなわち、上記図１８に示した第５実施形態において、右旋偏波用のローカル信号送信機２５の他に、更に左旋偏波用のローカル信号送信機２６を設けたものである。また、受信側にはミリ波受信機６０に代えてミリ波受信機７０を設けている。このミリ波受信機７０は、図１７に示した第４実施形態のものと同じ構成である。
【００８５】
図２２は、上記第１〜第４のミリ波送信機２１〜２４及びローカル信号送信機２５、２６の詳細を示す構成図である。ローカル信号送信機２５は、第５実施形態の場合と同様に５９ＧＨｚのローカル信号発振部２５１、分配器２５２、バンドパスフィルタ２５３及び右旋用アンテナ２５４からなっている。また、ローカル信号送信機２６は、分配器２６２、バンドパスフィルタ２６３、左旋用アンテナ２６４からなっている。
【００８６】
ローカル信号送信機２５の分配器２５２から外部に出力されるローカル信号は、ローカル信号送信機２６の分配器２６２に入力されて２分配される。上記分配器２６２で２分配された一方の信号は、バンドパスフィルタ２６３を介して左旋用アンテナ２６４に出力され、この左旋用アンテナ２６４から左旋偏波用ローカル信号としてミリ波受信機７０へ送信される。
【００８７】
また、上記分配器２６２で２分配された他方の信号は、第１のミリ波送信機２１へ送られ、分配器４５ａを介してミキサー４１ａに入力される。第１〜第４のミリ波送信機２１〜２４のその他の構成は、図１９の第５実施形態で示したものと同様であるので、詳細な説明は省略する。
【００８８】
上記第６実施形態によれば、第１〜第４のミリ波送信機２１〜２４は、第５実施形態の場合と同様にローカル信号を送信しないので、送信電力を許容最大限まで増加でき、長距離伝送が可能になる。また、１台のミリ波受信機７０で全チャンネルを受信できるので、コストを低減することができる。
【００８９】
また、右旋偏波用のローカル信号送信機２５及び左旋偏波用のローカル信号送信機２６を設けることにより、ミリ波受信機７０でアンテナ７１（図１７参照）の偏波面を右旋偏波あるいは左旋偏波の何れに切替えてもローカル信号を必ず受信でき、ＩＦ信号に変換することができる。従って、ミリ波受信機７０は、図１７に示したように回路構成を簡易化でき、コストを低減することができる。
【図面の簡単な説明】
【００９０】
【図１】本発明に係るミリ波による放送信号伝送システムの基本構成図。
【図２】各種衛星放送における送信信号の周波数帯域を示す図。
【図３】本発明に係るミリ波による放送信号伝送システムの基本動作を説明するための図。
【図４】本発明の第１実施形態に係るミリ波による放送信号伝送システムの全体構成を示すブロック図。
【図５】同実施形態における伝送周波数の配列を示す図。
【図６】同実施形態におけるミリ波送信機の構成を示すブロック図。
【図７】同実施形態におけるミリ波受信機の構成を示すブロック図。
【図８】本発明の第２の実施形態に係るミリ波による放送信号伝送システムのミリ波送信機の構成を示すブロック図。
【図９】同実施形態における伝送周波数の配列を示す図。
【図１０】本発明の第３実施形態に係るミリ波による放送信号伝送システムの全体構成を示すブロック図。
【図１１】同実施形態におけるミリ波送信機の構成を示すブロック図。
【図１２】同実施形態における伝送周波数の配列を示す図。
【図１３】同実施形態におけるミリ波受信機の構成を示すブロック図。
【図１４】同実施形態におけるミリ波受信機の出力周波数の配列を示す図。
【図１５】本発明の第４実施形態に係るミリ波による放送信号伝送システムのミリ波送信機の全体構成を示すブロック図。
【図１６】同実施形態における伝送周波数の配列を示す図。
【図１７】同実施形態におけるミリ波受信機の構成を示すブロック図。
【図１８】本発明の第５実施形態に係るミリ波による放送信号伝送システムの全体構成を示すブロック図。
【図１９】同実施形態におけるミリ波送信機及びローカル信号送信機の構成を示すブロック図。
【図２０】同実施形態におけるミリ波受信機の構成を示すブロック図。
【図２１】本発明の第６実施形態に係るミリ波による放送信号伝送システムの全体構成を示すブロック図。
【図２２】同実施形態におけるミリ波送信機及びローカル信号送信機の構成を示すブロック図。
【符号の説明】
【００９１】
１…ＪＳＡＴ３号衛星、２…ＪＳＡＴ４号衛星、３…ＢＳ衛星、４…１１０°ＣＳ衛星、１０…ＢＳ／ＣＳアンテナ、１１、１２…ＣＳアンテナ、１３…ＢＳ／ＣＳアンテナ、１５、１６…コンバータ、１７…右旋用コンバータ、１８…左旋用コンバータ、２０…ミリ波送信機、２１〜２４…第１〜第４のミリ波送信機、２５、２６…ローカル信号送信機、３０…ミリ波受信機、３１、３２…第１、第２のミリ波受信機、３３、３４…ＣＳチューナ、３５…ＢＳ／ＣＳチューナ、３６…テレビ受信機、３７…分配器、３８…周波数変換器、４１ａ〜４１ｄ…ミキサー、４２ａ〜４２ｄ…ローカル信号発振部、４３ａ〜４３ｄ…ＢＰＦ回路、４４ａ、４４ｃ…右旋用アンテナ、４４ｂ、４４ｄ…左旋用アンテナ、４５ａ〜４５ｃ…分配器、５１ａ、５１ｂ…アンテナ、５２ａ、５２ｂ…バンドパスフィルタ、５３ａ、５３ｂ…ミキサー、５４ａ、５４ｂ…増幅器、６０、６０Ａ…ミリ波受信機、６１ａ…右旋用アンテナ、６１ｂ…左旋用アンテナ、６２ａ、６２ｂ…バンドパスフィルタ、６３ａ、６３ｂ…ミキサー、６４…増幅器、６５…分配器、６６…切替スイッチ、６７…増幅器、７０…ミリ波受信機、７１…アンテナ、７２…ミキサー、７３…増幅器、２５１…ローカル信号発振部、２５２…分配器、２５３…バンドパスフィルタ、２５４…右旋用アンテナ、２６２…分配器、２６３…バンドパスフィルタ、２６４…左旋用アンテナ、６０１…アンテナ、６０２…右旋偏波用アンテナ、６０３…ミキサー、６０４…バンドパスフィルタ、６０５…増幅器。
【図１】
2008193741.tif 000003
【図２】
2008193741.tif 000004
【図３】
2008193741.tif 000005
【図４】
2008193741.tif 000006
【図５】
2008193741.tif 000007
【図６】
2008193741.tif 000008
【図７】
2008193741.tif 000009
【図８】
2008193741.tif 000010
【図９】
2008193741.tif 000011
【図１０】
2008193741.tif 000012
【図１１】
2008193741.tif 000013
【図１２】
2008193741.tif 000014
【図１３】
2008193741.tif 000015
【図１４】
2008193741.tif 000016
【図１５】
2008193741.tif 000017
【図１６】
2008193741.tif 000018
【図１７】
2008193741.tif 000019
【図１８】
2008193741.tif 000020
【図１９】
2008193741.tif 000021
【図２０】
2008193741.tif 000022
【図２１】
2008193741.tif 000023
【図２２】
2008193741.tif 000024